(57)【要約】【課題】正確でない時刻情報を有する基地局を含む無線通信システムにおいて、基地局との通信を確実に行うことができる、複数の通信方式による通信が可能な通信端末及び通信方法を提供する。【解決手段】まずＣＤＭＡ２０００＿１ｘ方式の通信を確立して待ち受け状態となり、その後に１ｘＥＶＤＯ方式の通信を確立して待ち受け状態となる場合に、ＳｙｓＴｉｍｅ＿１ｘとＳｙｓＴｉｍｅ＿ＥＶＤＯとの差が所定のしきい値ＴＨｃｏｒｒｅｃｔよりも大きい場合には、１ｘＥＶＤＯ方式の通信確立試行時に、基地局２＿ＥＶＤＯからＳｙｓＴｉｍｅ＿ＥＶＤＯを取得したとしても、ＣＤＭＡ２０００＿１ｘ方式の通信確立時に時計部１６に適用されていたＳｙｓＴｉｍｅ＿１ｘをそのままにし、新たに取得したＳｙｓＴｉｍｅ＿ＥＶＤＯを時計部１６に適用しない。【選択図】図４
2010035062.tif 000002
【特許請求の範囲】
【請求項１】
複数の通信プロトコルの基地局と無線通信を行い、それぞれの通信プロトコルにおいて待ち受けを行う通信端末であって、
前記基地局との通信を行う通信部と、
時計情報を更新する制御部と、
を有し、
前記制御部は、前記通信部を介して第１のプロトコルの基地局から第１のシステムタイムを受信し、当該第１のシステムタイムを前記時計情報を更新した後、第２のプロトコルの基地局から第２のシステムタイムを受信すると、前記第１のシステムタイムと第２のシステムタイムとの差分を算出し、
当該差分が所定のしきい値以下である場合は、前記第２のシステムタイムを前記時計情報を新たに更新して、当該更新した時計情報を用いて前記第１のプロトコルの基地局及び第２のプロトコルの基地局との通信を確立し、
当該差分が所定のしきい値より大きい場合には、前記第２のシステムタイムによる前記時計情報の更新は行わず、前記第１のシステムタイムにて前記第１のプロトコルの基地局との通信を維持しつつ、前記第１のシステムタイムに基づく時計情報を基に算出したタイミング情報に前記差分を適用して生成した補正タイミング情報に応じて前記第２のプロトコルの基地局との通信確立を行う
ことを特徴とする通信端末。
【請求項２】
前記通信部は、前記第１のプロトコルと第２のプロトコルとで異なる周波数帯を利用してハイブリッド待ち受け可能である
ことを特徴とする請求項１に記載の通信端末。
【請求項３】
前記第１のプロトコルは、ＣＤＭＡ２０００＿１ｘであり、
前記第２のプロトコルは、１ｘＥＶＤＯである
ことを特徴とする請求項１または２に記載の通信端末。
【請求項４】
前記第１のシステムタイム及び第２のシステムタイムは、前記基地局がＧＰＳ衛星からのＧＰＳ信号を取得して生成される時刻情報、あるいは、擬似的に生成されたＧＰＳ信号に基づいた時刻情報のいずれかである
ことを特徴とする請求項１から３のいずれか一項に記載の通信端末。
【請求項５】
複数の通信プロトコルの基地局と無線通信を行い、それぞれの通信プロトコルにおいて待ち受けを行う、時計情報に基づいた通信制御が行われる通信部を有する通信端末の通信方法であって、
前記通信部を介して第１のプロトコルの基地局から第１のシステムタイムを受信し、当該第１のシステムタイムにより前記時計情報を更新した後、第２のプロトコルの基地局から第２のシステムタイムを受信すると、前記第１のシステムタイムと第２のシステムタイムとの差分を算出し、
当該差分が所定のしきい値以下である場合は、前記第２のシステムタイムを前記時計情報を新たに更新して、当該更新した時計情報に基づいて前記第１のプロトコルの基地局及び第２のプロトコルの基地局との通信を確立し、
当該差分が所定のしきい値より大きい場合には、前記第２のシステムタイムによる前記時計情報の更新を行わず、前記第１のシステムタイムにて更新された時計情報により前記第１のプロトコルの基地局との通信を維持しつつ、前記第１のシステムタイムを基に算出したタイミング情報に前記差分を適用して生成した補正タイミング情報に応じて前記第２のプロトコルの基地局との通信確立を行う
ことを特徴とする通信方法。
【発明の詳細な説明】
【技術分野】
【０００１】
本発明は、無線通信端末を行う通信端末及び通信方法に関する。
【背景技術】
【０００２】
複数の通信方式（通信プロトコル）による通信を内包する無線通信システムにおいて、１台で複数の通信方式の基地局との通信を行う通信端末がある。
例えば、異なる通信方式として、例えばＣＤＭＡ２０００＿１ｘ方式と、１ｘＥＶＤＯ方式などがある。１ｘＥＶＤＯ方式は、ＣＤＭＡ２０００規格に含まれるデータ通信用の規格である。
このように、複数の通信方式による通信を１台で行うことができる通信端末がある。このような通信端末は、例えばハイブリッド端末と呼ばれる。このような通信端末では、例えば音声通話時にはＣＤＭＡ２０００＿１ｘ方式による通信を行い、データ通信時（メールやデータの送受信）には１ｘＥＶＤＯ方式による通信を行うことができる。
【０００３】
さて、無線通信システムにおいて、上述したような通信方式により通信端末は基地局を介して通信を行い、データのやり取りをすることになる。ここで、通信端末が基地局と通信を行うためには、基地局との同期を取る必要がある。通信端末と基地局との同期は、例えばＧＰＳ信号に基づいた正確な時刻を用いて行われる。
【０００４】
ＧＰＳ衛星からは、正確な時間情報を有するＧＰＳ信号が送出されており、基地局はこれを受信することにより正確な時間情報を得る。しかし、近年では、例えば地下や屋内など、ＧＰＳ衛星と通信できないような位置に基地局が配置されるような事態が生じている。このような場合は、例えば擬似的にＧＰＳ信号を生成するＧＰＳ信号発生装置により生成され送出された擬似ＧＰＳ信号を受信することにより基地局は時間情報を得ることができる。擬似的にＧＰＳ信号を発生させる測位信号発生装置が、例えば特許文献１に開示されている。
【０００５】
【特許文献１】特開２００６−２０１１５１号公報
【発明の開示】
【発明が解決しようとする課題】
【０００６】
特許文献１には、ＧＰＳ信号発生装置が備えるＧＰＳ信号生成部は、ＣＰＵから送出される信号の入力を受け付ける入力部と、ＧＰＳ信号生成部の動作を制御するために必要なデータあるいはＧＰＳ信号の生成に必要なデータを格納するメモリと、入力部を介して入力される指令に応答して入力されるデータ、メモリから読み出されるデータとに基づいて擬似的なＧＰＳ信号を生成する擬似信号生成部と、ＧＰＳ信号を分配器に対して送出する出力部とを含む測位信号発生装置が開示されている。
【０００７】
さて、上述したように、擬似的なＧＰＳ信号を受信する基地局では、受信したＧＰＳ信号が擬似ＧＰＳ信号であるために、擬似ＧＰＳ信号を含まれる時刻情報が若干のずれが生じている可能性がある。したがって、このように正確でない時刻情報を有する基地局を含む無線通信システムにおいて、複数の通信方式による通信を１台で行うことができる通信端末では、基地局との通信をうまく行うことができない、という事態が生じることがある。
【０００８】
本発明は、上述したような事態を防止するため、複数の通信方式により、基地局との通信を確実に行うことができる通信端末及び通信方法を提供することを目的とする。
【課題を解決するための手段】
【０００９】
上述した不利益を解消するため、第１の発明の通信装置は、複数の通信プロトコルの基地局と無線通信を行い、それぞれの通信プロトコルにおいて待ち受けを行う通信端末であって、前記基地局との通信を行う通信部と、時計情報を更新する制御部と、を有し、前記制御部は、前記通信部を介して第１のプロトコルの基地局から第１のシステムタイムを受信し、当該第１のシステムタイムを前記時計情報を更新した後、第２のプロトコルの基地局から第２のシステムタイムを受信すると、前記第１のシステムタイムと第２のシステムタイムとの差分を算出し、当該差分が所定のしきい値以下である場合は、前記第２のシステムタイムを前記時計情報を新たに更新して、当該更新した時計情報を用いて前記第１のプロトコルの基地局及び第２のプロトコルの基地局との通信を確立し、当該差分が所定のしきい値より大きい場合には、前記第２のシステムタイムによる前記時計情報の更新は行わず、前記第１のシステムタイムにて前記第１のプロトコルの基地局との通信を維持しつつ、前記第１のシステムタイムに基づく時計情報を基に算出したタイミング情報に前記差分を適用して生成した補正タイミング情報に応じて前記第２のプロトコルの基地局との通信確立を行う。
【００１０】
好適には、前記通信部は、前記第１のプロトコルと第２のプロトコルとで異なる周波数帯を利用してハイブリッド待ち受け可能である。
【００１１】
好適には、前記第１のプロトコルは、ＣＤＭＡ２０００＿１ｘであり、前記第２のプロトコルは、１ｘＥＶＤＯである。
【００１２】
好適には、前記第１のシステムタイム及び第２のシステムタイムは、前記基地局がＧＰＳ衛星からのＧＰＳ信号を取得して生成される時刻情報、あるいは、擬似的に生成されたＧＰＳ信号に基づいた時刻情報のいずれかである。
【００１３】
第２の発明の通信方法は、複数の通信プロトコルの基地局と無線通信を行い、それぞれの通信プロトコルにおいて待ち受けを行う、時計情報に基づいた通信制御が行われる通信部を有する通信端末の通信方法であって、前記通信部を介して第１のプロトコルの基地局から第１のシステムタイムを受信し、当該第１のシステムタイムにより前記時計情報を更新した後、第２のプロトコルの基地局から第２のシステムタイムを受信すると、前記第１のシステムタイムと第２のシステムタイムとの差分を算出し、当該差分が所定のしきい値以下である場合は、前記第２のシステムタイムを前記時計情報を新たに更新して、当該更新した時計情報に基づいて前記第１のプロトコルの基地局及び第２のプロトコルの基地局との通信を確立し、当該差分が所定のしきい値より大きい場合には、前記第２のシステムタイムによる前記時計情報の更新を行わず、前記第１のシステムタイムにて更新された時計情報により前記第１のプロトコルの基地局との通信を維持しつつ、前記第１のシステムタイムを基に算出したタイミング情報に前記差分を適用して生成した補正タイミング情報に応じて前記第２のプロトコルの基地局との通信確立を行う。
【発明の効果】
【００１４】
本発明によれば、複数の通信方式により、基地局との通信を確実に行うことができる通信端末及び通信方法を提供することができる。
【発明を実施するための最良の形態】
【００１５】
以下、本発明の通信端末の実施形態の一例として、通信端末１について説明する。
図１は、本実施形態の通信端末１を含む通信システム１００について説明するための図である。
図１に示すように、通信システム１００は、通信端末１と、基地局２とを有する。基地局２は、図示しない交換機等に接続されて公衆通信網に接続される。
説明の簡単のために、図１において、通信システム１００としては、通信端末１を１つ、基地局２を２つ（基地局２＿１ｘと２＿ＥＶＤＯ）のみ示すが、当然ながらこれだけではなく多くの通信端末と基地局とが含まれる。
また、本実施形態の通信システム１００は、ＣＤＭＡ２０００＿１ｘと、１ｘＥＶＤＯの２種類の通信方式に対応している。基地局２＿１ｘはＣＤＭＡ２０００＿１ｘ方式の通信を行う基地局を、基地局２＿ＥＶＤＯは１ｘＥＶＤＯ方式の通信を行う基地局を表している。通信端末１は、ＣＤＭＡ２０００＿１ｘと、１ｘＥＶＤＯの２種類の通信方式のどちらでも通信を行うことができる通信端末（ハイブリッド端末）である。
【００１６】
次に通信端末１の動作について説明を行う。
ＣＤＭＡ２０００＿１ｘと、１ｘＥＶＤＯの２種類の通信方式の間には非常に大きい相関関係がある。
第１に、通信端末１は、待ち受けする際には着信の発生監視、すなわちページングをＣＤＭＡ２０００＿１ｘ方式にて基地局からの信号監視を行い、一方で、１ｘＥＶＤＯ方式におけるセッション維持などのために１ｘＥＶＤＯの信号監視を行う。
そして、それぞれの通信方式において、待ち受けに用いられる基地局は必ずしも共通ではない。互いの通信方式において、当然ながら網側では位置登録や発着信や通信状態の監視のために共通に管理されるが、基地局と通信端末１との間の通信は無線であり、しかもプロトコルが異なる。
また、基地局もそれぞれ多く敷設されるが、それぞれの基地局は、ＣＤＭＡ２０００＿１ｘ方式にのみ対応するもの、１ｘＥＶＤＯ方式のみに対応するもの、ＣＤＭＡ２０００＿１ｘ方式と１ｘＥＶＤＯ方式の双方に対応するものと、様々である。
さらに、それぞれの基地局で扱うことの出来る周波数帯も異なる場合があり得る。
通信端末１は、その待ち受け時において、ＣＤＭＡ２０００＿１ｘ方式と１ｘＥＶＤＯ方式とで、必ずしも同一の基地局を用いることに縛られないよう構成されており、これにより、可能な限り、双方に待ち受けした状態を維持できるよう構成されている。
【００１７】
ところで、上述したように、本実施形態の通信システム１００では、ＣＤＭＡ２０００＿１ｘにおいては発着信の監視、１ｘＥＶＤＯにおいてはＥＶＤＯセッションの維持が主な処理目的とされている。ＣＤＭＡ２０００＿１ｘと１ｘＥＶＤＯのいずれにおいても、通信するための待ち受け基地局からの信号を定期的に監視する必要がある。
この監視タイミングは、基地局と通信端末１との間で時間的同期が確立される必要があり、各基地局にはＧＰＳ受信機、あるいは擬似的にＧＰＳ信号を生成するＧＰＳ信号発生装置が設けられており、ＧＰＳ信号からの正確な時刻情報あるいは擬似的な時刻情報が各基地局に供給されている。
通信端末１は、これら基地局からの時刻情報を随時受信して内部時計情報を更新し、ＣＤＭＡ２０００＿１ｘと１ｘＥＶＤＯのいずれにおいても基地局からの自端末宛の報知情報を監視することになる。
【００１８】
以下では、このような通信システム１００において、通信端末１が、例えばＣＤＭＡ２０００＿１ｘ方式において擬似ＧＰＳ信号により時刻情報を得る基地局、及び、１ｘＥＶＤＯ方式において真のＧＰＳ信号により時刻情報を得る基地局にそれぞれ待ち受けていた場合を想定する。
ＧＰＳ信号発生装置による時計情報が、真のＧＰＳ信号により得られる時計情報と若干ずれていた場合、通信端末側はどちらかの基地局と同期を行うことができなくなる。何故なら、一般的には、通信端末側に時計情報は一つしか保持されず、最新に取得した時刻情報で、通信端末側の時計情報が上書きされるからである。
一般的には、通信端末１は、まずＣＤＭＡ２０００＿１ｘ方式の初期捕捉（基地局との同期通信）において、自らの時計情報をＣＤＭＡ２０００＿１ｘ方式の基地局の時刻情報に合わせる。その後に、１ｘＥＶＤＯ方式についてもセッション確立の動作を行う。そして、この１ｘＥＶＤＯへの初期捕捉において、１ｘＥＶＤＯ方式の基地局の時刻情報に更新される。
【００１９】
通信端末１が、後から取得した時刻情報に上書き更新する構成となっていることには２つの理由がある。
一つ目は、原則として、ＣＤＭＡ２０００＿１ｘと１ｘＥＶＤＯの双方のネットワークは時刻情報が通常は同期が取られており、いずれの時刻情報を用いても共通のため、通信端末側に時計情報は一つで充分であり、これを更新するだけで充分に対応可能だからである。
次に、二つ目の理由は、ＣＤＭＡ２０００＿１ｘ方式の基地局の敷設されるエリアに対し、１ｘＥＶＤＯ方式の基地局の敷設されるエリアの方が狭いためである。すなわち、ＣＤＭＡ２０００＿１ｘ方式の基地局への初期捕捉時には近辺に１ｘＥＶＤＯ方式の基地局が存在せず、この時点では１ｘＥＶＤＯ方式の基地局への初期捕捉ができず、その後随分経過した後に１ｘＥＶＤＯ方式の基地局への初期捕捉が発生することが頻発する。すなわち、ＣＤＭＡ２０００＿１ｘ方式において時計情報を更新してから大きく時間が経過しているため、最新の時刻情報に更新することが好ましいためである。
【００２０】
しかしながら、上述したように、ＧＰＳ信号発生装置が接続された基地局と、真のＧＰＳ受信機を有する基地局とに、ハイブリッド待ち受けすることが生じ得る。互いの基地局により得られた時刻情報が若干ずれていた場合、後に初期捕捉が行われる１ｘＥＶＤＯ方式の基地局から得た時刻情報により、ＣＤＭＡ２０００＿１ｘ方式の基地局から得た時刻情報が上書きされることになってしまう。このような場合には、通信端末の有する時刻情報は１ｘＥＶＤＯ方式の基地局から得た時刻情報であるため、ＣＤＭＡ２０００＿１ｘ方式の基地局の有する時刻情報とは異なっており、通信端末はＣＤＭＡ２０００＿１ｘ方式の基地局との通信をうまく行うことができなくなってしまう。
このような事態を回避する構成について、以下説明する。
【００２１】
図２に、通信端末１の構成の一例を示す。
図２は、通信端末１の構成の一例を示すブロック図である。
図２に示すように、通信端末１は、通信部１１、操作部１２、音声処理部１３、記憶部１４、表示部１５、時計部１６、制御部１７を有する。
【００２２】
以下、通信端末１の各構成の詳細について説明する。
通信部１１は、後述する制御部１７の制御に応じて、図２に図示しないアンテナなどを介して、基地局２との無線通信を行う。無線通信において送受信されるデータは、例えば、音声通話用の音声データ、メールデータ、時刻情報などである。
通信部１１は、２種類の通信方式のそれぞれに対応したＣＤＭＡ２０００＿１ｘ通信部１１１と、１ｘＥＶＤＯ通信部１１２とをさらに有する。通信部１１は、各通信部により、各通信方式の規定に則った方法で各通信方式に対応した基地局との通信を行う。通信端末１は、これらのＣＤＭＡ２０００＿１ｘ通信部１１１と、１ｘＥＶＤＯ通信部１１２とにより、２種類の通信方式のどちらででも通信を行うことができる。すなわちＣＤＭＡ２０００＿１ｘ方式の通信を行う基地局２＿１ｘとも、１ｘＥＶＤＯ方式の通信を行う基地局２＿ＥＶＤＯとも通信を行うことができる。
操作部１２は、例えばテンキーや十字キー等の入力デバイスであり、通信端末１の各種動作時のユーザの入力を受け付け、入力された内容を示す操作信号を制御部１７に送信する。
【００２３】
音声処理部１３は、図１に図示しないマイクなどにより入力された音声信号を音声データに変換したり、通信部１１により基地局から取得された音声データを音声信号に復号し、図示しないスピーカなどから音声出力させたりする処理を行う。音声処理部１３の処理により、通信端末１において音声通話を行うことが可能になる。
記憶部１４は、フラッシュメモリやＨＤＤ（Hard Disk Drive）により構成される記憶デバイスなどの不揮発性メモリの他、ＲＡＭ（Random Access Memory）などの揮発性メモリなどであってもよい。記憶部１４には、例えば後述する表示部１５に表示される待受画面の画像データや、着信音・着信メロディ、通信端末１上で動作するアプリケーションプログラムなどが記憶されている。
【００２４】
表示部１５は、ＬＣＤ（Liquid Crystal Display）や有機ＥＬ（electro luminescence）ディスプレイ等の表示デバイスであり、通信端末１の各種動作に応じてその動作に関連する画面を表示する。例えば、音声通話発信時には発信先の情報、着信時には着信元の情報を表示する。
また、表示部１５は後述する時計部１６の制御により時計の表示を行う。すなわち、例えば、待受画面や時計表示のための画面などにおいて、時計が表示される。
時計部１６は、水晶振動子などを有する時計デバイスである。時計部１６は、制御部１７との協働することにより基地局２との通信により得た時刻情報を基に、時計機能を動作させ、表示部１５に時計を表示させる制御を行う。
制御部１７は、通信端末１を統括的に制御する中央処理装置である。すなわち、通信端末１の各種動作時には上記説明した通信端末１の各構成を制御する。
【００２５】
次に、基地局２の構成の一例について説明する。
図３は、基地局２の構成の一例を示した図である。
図３に示すように、基地局２は、ＧＰＳ通信部２１と、無線通信部２２と、時刻情報保持部２３と、網接続部２４と、制御部２５とを有する。
ＧＰＳ通信部２１は、図１に図示しないＧＰＳ衛星、あるいは擬似的にＧＰＳ信号を生成する擬似ＧＰＳ信号生成装置と通信を行い、時刻情報を含むＧＰＳ信号（擬似ＧＰＳ信号）を取得するための通信部である。
無線通信部２２は、図１に示す通信システム１００において、通信端末１との無線通信などを行う。この無線通信部２２は、基地局ごとに通信端末１との無線通信に使用する通信方式が異なっている。すなわち、ＣＤＭＡ２０００＿１ｘ方式で通信端末１との無線通信を行う基地局２＿１ｘはＣＤＭＡ２０００＿１ｘに対応した無線通信部２２を、１ｘＥＶＤＯ方式で通信端末１との無線通信を行う基地局２＿ＥＶＤＯは１ｘＥＶＤＯに対応した無線通信部２２を、それぞれ有している。
【００２６】
時刻情報保持部２３は、ＧＰＳ通信部２１により取得されたＧＰＳ信号（あるいは擬似ＧＰＳ信号）に含まれる時刻情報を保持するブロックである。基地局２ごとに、基地局２の設置された位置に応じて、ＧＰＳ衛星と通信を行いＧＰＳ信号の取得を行うか、擬似ＧＰＳ信号生成装置と通信を行い、擬似ＧＰＳ信号を取得するか、が決まっている。基地局２は、いずれかの方法により時刻情報を入手し、時刻情報保持部２３においてこれを保持する。
【００２７】
網接続部２４は、光ファイバーケーブルなどにより交換局やロケーションサーバなどといったネットワーク側管理機器に接続されるインターフェースである。
制御部２５は、基地局２の各機能部を動作させる制御を行う。
【００２８】
以下、まず、複数の通信方式において通信を行うことができる通信端末１における、通信時の動作例について説明する。
図４は、複数の通信方式において通信を行うことができる通信端末１における、通信時の動作例を説明するためのフローチャートである。
ステップＳＴ１：
通信端末１の制御部１７は、まず、ＣＤＭＡ２０００＿１ｘ方式での通信を開始するために、予め決められたスキャンリストに則り、キャリアの存在する可能性のある周波数チャネルを順次スキャンする。スキャンした結果、受信電界強度の良好であった周波数チャネル（パイロットチャネル候補）をいくつかピックアップする。
次に、これらのパイロットチャネル候補に対して良好なものから順に逆拡散を行い、得られたパイロット信号から信号波対干渉波比を算出し、充分な強度が得られまで試行する。ここで、充分な信号波対干渉波比が得られると、当該パイロットチャネルを送信する基地局に対しての位置登録処理に移る。
ところで、ここまでの処理は、基本的にＣＤＭＡ２０００＿１ｘ方式においても１ｘＥＶＤＯ方式においても共通である。そのため、ここまでの処理に関しては、１ｘＥＶＤＯ方式においては簡略化して説明する。
通信部１１のＣＤＭＡ２０００＿１ｘ通信部１１１を使用して、上記スキャン処理によって特定されたパイロットチャネルを送出していた基地局（基地局２＿１ｘ）への位置登録に関する処理についての説明に戻る。
ステップＳＴ２：
ＣＤＭＡ２０００＿１ｘ通信部１１１は、取得したパイロット信号に基づいて、さらにパイロットチャネルから符号同期を行い、基地局２＿１ｘからの同期信号であるＳｙｎｃ  Ｃｈａｎｎｅｌ  Ｍｅｓｓａｇｅ：（1x Sync Msg）を取得する。
【００２９】
ステップＳＴ３：
ＣＤＭＡ２０００＿１ｘ通信部１１１を介して、基地局２＿１ｘのＳｙｎｃ  Ｃｈａｎｎｅｌ  Ｍｅｓｓａｇｅ：（1x Sync Msg）から、基地局２＿１ｘからの時刻情報を取得し、時計部１６および制御部１７により管理される時計情報をこの時刻に合わせる。基地局２＿１ｘから得た時刻情報が指す時刻を、以下システムタイムＳｙｓＴｉｍｅ＿１ｘと称する。
ステップＳＴ４：
通信部１１は、ステップＳＴ３における同期の確立とともに、以上に述べた時計情報の更新後、当該基地局に対して位置登録要求を行い基地局２＿１ｘとの通信の待ち受けを開始する。具体的には、基地局２＿１ｘからの着信の有無を確認するためのＰＣＨ（ページングチャネル）のモニタリングを開始する。この際、通信部１１（ＣＤＭＡ２０００＿１ｘ通信部１１１）は、基地局２＿１ｘに対して、システムタイムＳｙｓＴｉｍｅ＿１ｘを基に算出した、ページングチャネルの間欠受信タイミングを通知する。ページングチャネルの間欠受信タイミングの算出方法に関しては、本実施形態では特に限定しない。既存の技術を利用することができる。
【００３０】
ステップＳＴ５：
制御部１７は、次に、１ｘＥＶＤＯ方式での通信を開始する。すなわち、通信部１１の１ｘＥＶＤＯ通信部１１２を使用して、基地局２＿ＥＶＤＯとの通信を試みる。なお、ステップＳＴ４の処理とステップＳＴ５の処理は必ずしも時間的に連続しているものではない。
ステップＳＴ６：
ステップＳＴ１におけるＣＤＭＡ２０００＿１ｘ方式の捕捉候補の基地局の選定と同様のスキャン処理を行った後、１ｘＥＶＤＯ通信部１１２は、特定された基地局２＿ＥＶＤＯからの同期信号であるＳｙｎｃ  Ｃｈａｎｎｅｌ  Ｍｅｓｓａｇｅ：（EVDO Sync Msg）を取得する。
【００３１】
ステップＳＴ７：
１ｘＥＶＤＯ通信部１１２を介して、基地局２＿ＥＶＤＯのＳｙｎｃ  Ｃｈａｎｎｅｌ  Ｍｅｓｓａｇｅ：（EVDO Sync Msg）から、、基地局２＿ＥＶＤＯからの時刻情報を取得する。なお、基地局２＿ＥＶＤＯから得た時刻情報が指す時刻を、以下システムタイムＳｙｓＴｉｍｅ＿ＥＶＤＯと称する。
ステップＳＴ８：
制御部１７は、ステップＳＴ３において得たシステムタイムＳｙｓＴｉｍｅ＿１ｘと、ステップＳＴ７において得たシステムタイムＳｙｓＴｉｍｅ＿ＥＶＤＯとの差分を算出し、その差が所定のしきい値ＴＨｃｏｒｒｅｃｔよりも大きいか否かを判定する。すなわち、制御部１７は、ＣＤＭＡ２０００＿１ｘ方式の基地局２＿１ｘから得た時刻情報と、１ｘＥＶＤＯ方式の基地局２＿ＥＶＤＯから得た時刻情報とが、通信路の差やノイズに起因する予め想定された誤差よりも大きいか否かを判定する。したがって、所定のしきい値ＴＨｃｏｒｒｅｃｔは、誤差よりも大きくなるように経験的に決定される任意の値である。
本ステップにおいて、システムタイムＳｙｓＴｉｍｅ＿１ｘとシステムタイムＳｙｓＴｉｍｅ＿ＥＶＤＯとの差がＴＨｃｏｒｒｅｃｔよりも大きかった場合はステップＳＴ９に進み、そうでない場合はステップＳＴ１１に進む。
【００３２】
ステップＳＴ９：
システムタイムＳｙｓＴｉｍｅ＿１ｘとシステムタイムＳｙｓＴｉｍｅ＿ＥＶＤＯとの差がＴＨｃｏｒｒｅｃｔよりも大きかった場合、制御部１７は、ステップＳＴ７において取得したＳｙｓＴｉｍｅ＿ＥＶＤＯでの時計情報の更新は行わない。
一方、無通信時にもセッション確立を維持する、などの理由により、基地局２＿ＥＶＤＯからの報知情報を間欠受信する必要がある。
ステップＳＴ３において、制御部１７にて管理される時計情報に適用されたシステムタイムＳｙｓＴｉｍｅ＿１ｘを基に、ＥＶＤＯの報知情報の間欠受信するタイミングを算出する。
ステップＳＴ１０：
制御部１７は、ステップＳＴ９において算出した、ＥＶＤＯ方式の間欠受信タイミングに、システムタイムの差である＜（ＳｙｓＴｉｍｅ＿１ｘ）−（ＳｙｓＴｉｍｅ＿ＥＶＤＯ）＞を加算する。
すなわち、ステップＳＴ９において算出したＥＶＤＯ方式の間欠受信タイミングをＴ＿ＥＶＤＯ＿ｉｎｔｅｒｖａｌとすると、この間欠受信タイミングは、ＣＤＭＡ２０００＿１ｘ方式の基地局２＿１ｘから通知されたシステムタイムＳｙｓＴｉｍｅ＿１ｘに基づいて算出されている。しかし、ＳｙｓＴｉｍｅ＿１ｘとＳｙｓＴｉｍｅ＿ＥＶＤＯとの間には、ＴＨｃｏｒｒｅｃｔよりも大きい差があることがステップＳＴ８において分かっているため、Ｔ＿ＥＶＤＯ＿ｉｎｔｅｒｖａｌには１ｘＥＶＤＯ方式の本来の間欠受信タイミングとはずれが生じていることになる。
制御部１７は、このずれを算出したシステムタイム差にて補正し、補正した間欠受信タイミングＴ＿ＥＶＤＯ＿ｉｎｔｅｒｖａｌＴｅｍｐを算出する。
上述したように、Ｔ＿ＥＶＤＯ＿ｉｎｔｅｒｖａｌＴｅｍｐ＝（（Ｔ＿ＥＶＤＯ＿ｉｎｔｅｒｖａｌ）＋（ＳｙｓＴｉｍｅ＿１ｘ−ＳｙｓＴｉｍｅ＿ＥＶＤＯ）））によって与えられる。
これにより、１ｘＥＶＤＯ方式の基地局２＿ＥＶＤＯとの通信を確立し、ページングチャネルの待ち受けを行うための補正間欠受信タイミングＴ＿ＥＶＤＯ＿ｉｎｔｅｒｖａｌＴｅｍｐが得られる。
【００３３】
ステップＳＴ１１：
システムタイムＳｙｓＴｉｍｅ＿１ｘとシステムタイムＳｙｓＴｉｍｅ＿ＥＶＤＯとの差分がＴＨｃｏｒｒｅｃｔ以下、すなわち基地局２＿１ｘと基地局２＿ＥＶＤＯにおけるシステムタイムが同等である場合には、ステップＳＴ７において新たに得たシステムタイムＳｙｓＴｉｍｅ＿ＥＶＤＯを時計部１６に適用する。
ステップＳＴ１２：
制御部１７は、基地局２＿ＥＶＤＯに対して通知することにより通信を確立するために、ステップＳＴ１１において時計部１６および制御部１７にて管理される時計情報に適用されたシステムタイムＳｙｓＴｉｍｅ＿ＥＶＤＯを基に、報知情報の間欠受信タイミングを算出する。報知情報の間欠受信タイミングの算出方法については、本発明では特に限定しない。
【００３４】
ステップＳＴ１３：
制御部１７は、通信部１１を介して、ステップＳＴ１０あるいはステップＳＴ１２において算出された報知情報の間欠受信タイミングを基地局２＿ＥＶＤＯに通知し、ＥＶＤＯ方式におけるセッション確立要求を行い、通信を確立する。
ステップＳＴ１４：
以降、ＥＶＤＯ方式によるセッションが確立された状態となる。
【００３５】
上述したように、本実施形態の通信端末１では、システムタイムＳｙｓＴｉｍｅ＿１ｘとシステムタイムＳｙｓＴｉｍｅ＿ＥＶＤＯとの差が所定のしきい値ＴＨｃｏｒｒｅｃｔよりも大きい場合には、あらかじめ時計部１６に適用されていたシステムタイムＳｙｓＴｉｍｅ＿１ｘをそのままにし、新たに取得したシステムタイムＳｙｓＴｉｍｅ＿ＥＶＤＯを時計部１６に適用しない。
ここで、例えば基地局２＿ＥＶＤＯとの通信を確立し、ＥＶＤＯ方式での待ち受け状態に入った後、通信端末１が再度ＣＤＭＡ２０００＿１ｘ方式の基地局２＿１ｘを捕捉し、ＣＤＭＡ２０００＿１ｘ方式での待ち受け状態となる場合を考える。もし上述した図４に示す動作例のように、システムタイムＳｙｓＴｉｍｅ＿１ｘをそのままにせず、通信端末１のシステムタイムにＳｙｓＴｉｍｅ＿ＥＶＤＯを適用していたとすると、基地局２＿１ｘとの通信を確立するための間欠受信タイミングがＳｙｓＴｉｍｅ＿ＥＶＤＯを基にして算出されることになる。ここで、ＳｙｓＴｉｍｅ＿ＥＶＤＯはＳｙｓＴｉｍｅ＿１ｘとは所定のしきい値ＴＨｃｏｒｒｅｃｔよりも大きくずれているため、ＣＤＭＡ２０００＿１ｘ間欠受信タイミングがずれてしまい、うまくＣＤＭＡ２０００＿１ｘ方式の通信を確立することができなくなってしまう。
したがって、上述した図４に示す動作例では、システムタイムＳｙｓＴｉｍｅ＿１ｘとシステムタイムＳｙｓＴｉｍｅ＿ＥＶＤＯとの差が所定のしきい値ＴＨｃｏｒｒｅｃｔよりも大きい場合には、基地局２＿ＥＶＤＯからシステムタイムＳｙｓＴｉｍｅ＿ＥＶＤＯが通知されても、これを時計部１６に適用しないため、上述したような事態を回避することができる。
【００３６】
また、上述した図４に示す動作例では、基地局２＿ＥＶＤＯに通知する間欠受信タイミングを算出する際に使用するシステムタイムがＳｙｓＴｉｍｅ＿１ｘであるため、これを補正する必要がある。このため、制御部１７は、ＳｙｓＴｉｍｅ＿１ｘを使用して算出した１ｘＥＶＤＯ間欠受信タイミングＴ＿ＥＶＤＯ＿ｉｎｔｅｒｖａｌを基に、補正間欠受信タイミングＴ＿ＥＶＤＯ＿ｉｎｔｅｒｖａｌＴｅｍｐをＴ＿ＥＶＤＯ＿ｉｎｔｅｒｖａｌ＋（ＳｙｓＴｉｍｅ＿１ｘ−ＳｙｓＴｉｍｅ＿ＥＶＤＯ）により算出する。これにより、基地局２＿ＥＶＤＯとの通信確立時に使用される間欠受信タイミングも、システムタイムＳｙｓＴｉｍｅ＿ＥＶＤＯに合わせて補正され、１ｘＥＶＤＯ方式の通信確立時に間欠受信タイミングがずれてうまく通信ができない事態を回避することができる。
【００３７】
以下、図４において説明したような、複数の通信方式において通信を行うことができる通信端末１における通信時の動作例における効果について説明する。
図５は、複数の通信方式において通信を行うことができる通信端末１と、異なる通信方式の複数の基地局とを有する通信システム１０１の具体例を示した図である。
図５に示す具体例では、通信システム１０１は、１つの通信端末１と、ＢａｎｄＣｌａｓｓ６の基地局２＿１ｘ及び２＿ＥＶＤＯ、そしてＢａｎｄＣｌａｓｓ３の基地局２＿１ｘ及び２＿ＥＶＤＯを有する。ＢａｎｄＣｌａｓｓとは、通信を行う周波数帯を指すものであり、ＢａｎｄＣｌａｓｓ６は２ＧＨｚの周波数帯、ＢａｎｄＣｌａｓｓ３は新８００ＭＨｚの周波数帯を意味する。
【００３８】
図５に示す通信システム１０１の具体例においては、ＢａｎｄＣｌａｓｓ３の基地局２＿１ｘ及び２＿ＥＶＤＯは、閉空間、すなわち例えば地下や屋内などに配設されていると想定されている。したがって、ＢａｎｄＣｌａｓｓ３の基地局２＿１ｘ及び２＿ＥＶＤＯは、ＧＰＳ衛星と直接通信を行うことができないため、擬似ＧＰＳ信号生成装置から擬似ＧＰＳ信号を取得し、時刻情報を得ることになる。
一方、ＢａｎｄＣｌａｓｓ６の基地局２＿１ｘ及び２＿ＥＶＤＯは、オープンなスペースに配設されていると想定される。したがって、ＢａｎｄＣｌａｓｓ６の基地局２＿１ｘ及び２＿ＥＶＤＯは、ＧＰＳ衛星からＧＰＳ信号を取得することにより、正確な時刻情報を得ることができる。
ここで、擬似ＧＰＳ信号生成装置が生成する擬似ＧＰＳ信号に含まれる時刻情報は、必ずしも正確ではなく、ＧＰＳ信号に含まれる正確な時刻情報とは例えば最大で±１００ｍｓほどのずれを有するとする。
【００３９】
図５に示すような通信システム１０１の具体例において、通信端末１が待ち受けを開始する場合について考える。
通信端末１は、図４と同様、まずＣＤＭＡ２０００＿１ｘ方式において、ＢａｎｄＣｌａｓｓ６システムを捕捉し、ＢａｎｄＣｌａｓｓ６の基地局２＿１ｘからの１ｘ  Ｓｙｎｃ  Ｍｓｇを受信する。このときＢａｎｄＣｌａｓｓ６の基地局２＿１ｘから通知される時刻情報は、上述したようにＧＰＳ衛星から得た正確な時刻情報である。ここで、ＧＰＳ衛星から得た正確な時刻情報を以下ではＳｙｓＴｉｍｅＲｅａｌと称する。すなわち、ここで通信端末１が得た時刻情報は、ＳｙｓＴｉｍｅＲｅａｌ＿１ｘである。
さて、通信端末１は、ＳｙｓＴｉｍｅＲｅａｌ＿１ｘを基に、ＢａｎｄＣｌａｓｓ６の基地局２＿１ｘと初期捕捉など通信開始時の処理を行い、ＣＤＭＡ２０００＿１ｘ方式での待ち受けを開始したとする。
【００４０】
次に、通信端末１は、１ｘＥＶＤＯ方式での通信を試みる。
ここで、通信端末１は、１ｘＥＶＤＯ方式において、ＢａｎｄＣｌａｓｓ６システムを捕捉することができなかったとする。この場合、通信端末１は、１ｘＥＶＤＯ方式において、ＢａｎｄＣｌａｓｓ３システムの捕捉を試みることになる。その結果、通信端末１は、ＢａｎｄＣＬａｓｓ３の基地局２＿ＥＶＤＯからのＥＶＤＯ  Ｓｙｎｃ  Ｍｓｇを受信できたとする。このときＢａｎｄＣｌａｓｓ３の基地局２＿ＥＶＤＯから通知される時刻情報は、上述したように、擬似ＧＰＳ生成装置から得た擬似ＧＰＳ情報に基づくものである。ここで、擬似ＧＰＳ生成装置から得た擬似ＧＰＳ情報に基づく時刻情報を、以下ではＳｙｓＴｉｍｅＳｉｍと称する。すなわち、ここで通信端末１が得る時刻情報は、ＳｙｓＴｉｍｅＳｉｍ＿ＥＶＤＯとなる。
【００４１】
ここで、通信端末１では、図４における動作例に示したように、制御部１７がＳｙｓＴｉｍｅＲｅａｌ＿１ｘとＳｉｓＴｉｍｅＳｉｍ＿ＥＶＤＯの差分を算出し、その差分が所定のしきい値より大きいか否かを判定することになる。ここで、所定のしきい値ＴＨｃｏｒｒｅｃｔを例えば１ｍｓ（誤差レベルの差異）とする。上述したように、ＳｙｓＴｉｍｅＲｅａｌ＿１ｘとＳｙｓＴｉｍｅＳｉｍ＿ＥＶＤＯとは最大で±１００ｍｓの差異があるため、制御部１７は、ＳｙｓＴｉｍｅＲｅａｌ＿１ｘとＳｙｓＴｉｍｅＳｉｍ＿ＥＶＤＯとの差を所定のしきい値ＴＨｃｏｒｒｅｃｔよりも大きいと判定する。そして、制御部１７は、ＢａｎｄＣｌａｓｓ３の基地局２＿ＥＶＤＯから通知されたシステムタイムＳｙｓＴｉｍｅＳｉｍ＿ＥＶＤＯを時計部１６に適用しない。すなわち、現時点で通信端末１に適用されているシステムタイムは、ＳｙｓＴｉｍｅＲｅａｌ＿１ｘのままである。
【００４２】
ここで、制御部１７は、ＢａｎｄＣｌａｓｓ３の基地局２＿ＥＶＤＯとの通信を確立するための間欠受信タイミングを算出する。この際、現時点でのシステムタイムＳｙｓＴｉｍｅＲｅａｌ＿１ｘを使用してＥＶＤＯ間欠受信タイミングＴ＿ＥＶＤＯ＿ｉｎｔｅｒｖａｌを算出し、ＳｙｓＴｉｍｅＲｅａｌ＿１ｘとＳｙｓＴｉｍｅＳｉｍ＿ＥＶＤＯとの差を基にこれを補正する。具体的には、図４に示す動作例のように、１ｘＥＶＤＯ方式のシステムタイムＳｙｓＴｉｍｅＳｉｍ＿ＥＶＤＯを使用して算出した間欠受信タイミングと同等の補正間欠受信タイミングＴ＿ＥＶＤＯ＿ｉｎｔｅｒｖａｌＴｅｍｐをＴ＿ＥＶＤＯ＿ｉｎｔｅｒｖａｌ＋（ＳｙｓＴｉｍｅ＿１ｘ−ＳｙｓＴｉｍｅ＿ＥＶＤＯ）により算出する。
【００４３】
もし、通信端末１において、制御部１７がＢａｎｄＣｌａｓｓ３の基地局２＿ＥＶＤＯから通知されたシステムタイムＳｙｓＴｉｍｅＳｉｍ＿ＥＶＤＯを時計部１６に適用してしまっていたとすると、それ以降にＢａｎｄＣｌａｓｓ６の基地局２＿１ｘとの通信を再度確立させる場合に、基地局２＿１ｘに通知する間欠受信タイミングを、ＳｙｓＴｉｍｅＳｉｍ＿ＥＶＤＯを基に算出することになる。しかし、上述したように、基地局２＿１ｘに通知するべき正しい間欠受信タイミングを生成するために必要なＳｙｓＴｉｍｅＲｅａｌ＿１ｘとＳｙｓＴｉｍｅＳｉｍ＿ＥＶＤＯとの間には最大１００ｍｓのずれがあるため、算出された間欠受信タイミングは正しい値ではないことになる。これにより、通信端末１とＢａｎｄＣｌａｓｓ６の基地局２＿１ｘとの通信の確立がうまく成立せず、通信を行うことができないという事態が生じる。しかし、本実施形態の通信端末１によれば、上述したようにこのような事態を回避することができる。
【００４４】
以上説明したように、本発明の実施形態の通信端末１によれば、まずＣＤＭＡ２０００＿１ｘ方式の通信を確立して待ち受け状態となり、その後に１ｘＥＶＤＯ方式の通信を確立して待ち受け状態となる場合に、ＳｙｓＴｉｍｅ＿１ｘとＳｙｓＴｉｍｅ＿ＥＶＤＯとの差が所定のしきい値ＴＨｃｏｒｒｅｃｔよりも大きい場合には、１ｘＥＶＤＯ方式の通信確立試行時に、基地局２＿ＥＶＤＯからＳｙｓＴｉｍｅ＿ＥＶＤＯを取得したとしても、ＣＤＭＡ２０００＿１ｘ方式の通信確立時に時計部１６に適用されていたＳｙｓＴｉｍｅ＿１ｘをそのままにし、新たに取得したＳｙｓＴｉｍｅ＿ＥＶＤＯを時計部１６に適用しない。
このため、例えば基地局２＿ＥＶＤＯとの通信を確立し、ＥＶＤＯ方式での待ち受け状態に入った後、通信端末１が再度ＣＤＭＡ２０００＿１ｘ方式の基地局２＿１ｘを捕捉し、ＣＤＭＡ２０００＿１ｘ方式での待ち受け状態となる場合に、ＣＤＭＡ２０００＿１ｘ間欠受信タイミングがずれてしまい、うまくＣＤＭＡ２０００＿１ｘ方式の通信を確立することができなくなってしまう、という事態を回避することができる。
【００４５】
また、本発明の実施形態の通信端末１によれば、基地局２＿ＥＶＤＯに通知する間欠受信タイミングを算出する際に使用するシステムタイムがＳｙｓＴｉｍｅ＿１ｘであるため、ＳｙｓＴｉｍｅ＿１ｘを使用して算出した１ｘＥＶＤＯ間欠受信タイミングＴ＿ＥＶＤＯ＿ｉｎｔｅｒｖａｌを基に、補正間欠受信タイミングＴ＿ＥＶＤＯ＿ｉｎｔｅｒｖａｌＴｅｍｐをＴ＿ＥＶＤＯ＿ｉｎｔｅｒｖａｌ＋（ＳｙｓＴｉｍｅ＿１ｘ−ＳｙｓＴｉｍｅ＿ＥＶＤＯ）により算出する。これにより、基地局２＿ＥＶＤＯとの通信確立時に使用される間欠受信タイミングも、システムタイムＳｙｓＴｉｍｅ＿ＥＶＤＯに合わせて補正され、１ｘＥＶＤＯ方式の通信確立時に間欠受信タイミングがずれてうまく通信ができない事態を回避することができる。
【００４６】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
上述した実施形態においては、通信端末１は携帯電話機を想定していたが、本発明はこれには限定されない。例えば、ＰＤＡ（Personal Digital Assistant）等、他の通信装置であってもよい。
なお、上述した実施形態では、各基地局が無線通信部２２として、ＣＤＭＡ２０００＿１ｘのみに対応したものと、１ｘＥＶＤＯのみに対応したものを例にして、説明を行っているが、本発明はこれには限定されない。基地局は、両方の通信方式に対応していてもよい。たとえ、ＣＤＭＡ２０００＿１ｘで待ち受けている基地局が、１ｘＥＶＤＯ方式にも対応する基地局であったとしても、１ｘＥＶＤＯ方式において、より通信環境が良好な基地局が他にあった場合には、その基地局で１ｘＥＶＤＯ方式の待ち受けを行う場合も考えられる。このような場合でも、上述した実施形態と同様の処理を行うことにより、同様の効果を得ることができる。
【図面の簡単な説明】
【００４７】
【図１】図１は、本実施形態の通信端末を含む通信システムについて説明するための図である。
【図２】図２は、通信端末の構成の一例を示すブロック図である。
【図３】図３は、基地局の構成の一例を示したブロック図である。
【図４】図４は、複数の通信方式において通信を行うことができる通信端末における、通信時の動作例を説明するためのフローチャートである。
【図５】図５は、複数の通信方式において通信を行うことができる通信端末と、異なる通信方式の複数の基地局とを有する通信システムの具体例を示した図である。
【符号の説明】
【００４８】
１００，１０１…通信システム、１…通信端末、１１…通信部、１１１…ＣＤＭＡ２０００＿１ｘ通信部、１１２…１ｘＥＶＤＯ通信部、１２…操作部、１３…音声処理部、１４…記憶部、１５…表示部、１６…時計部、１７…制御部、２…基地局、２１…通信部、２２…無線通信部、２３…時刻情報保持部
【図１】
2010035062.tif 000003
【図２】
2010035062.tif 000004
【図３】
2010035062.tif 000005
【図４】
2010035062.tif 000006
【図５】
2010035062.tif 000007